(57)【特許請求の範囲】
【請求項１】
吸水材が充填される吸水管の一端部を漏水部に設け、
中空の導水管の一端部を、前記吸水管の他端部に接続し、他端部を、吸水管の一端部よりも下方の位置に配置し、
前記導水管の内径は、３〜５ｍｍの範囲に選ばれ、
前記導水管は、管内の毛細管現象によって、管内の水を他端部から排水し、
前記吸水管は、導水管からの排水による他端部側の減圧と、吸水材の毛細管現象とによって、一端部から吸収した水を、他端部の導水管に導くことを特徴とする漏水処理方法。
【請求項２】
吸水材は、０．１〜１００μｍの範囲の直径を有する繊維から成る不織布またはフェルトであることを特徴とする請求項１記載の漏水処理方法。
【請求項３】
（ａ）一端部が漏水部に設けられる吸水管と、
（ｂ）吸水管に充填され、０．１〜１００μｍの範囲の直径を有する繊維から成る不織布またはフェルトである吸水材と、
（ｃ）導水管であって、
導水管の一端部が吸水管の他端部に接続され、
吸水管の他端部が吸水管の前記一端部よりも下方の位置に配置され、
内径３〜５ｍｍであり、
この導水管は、導水管内の毛細管現象によって、導水管内の水を導水管の前記他端部から排水する導水管とを含み、
（ｄ）前記吸水管は、
導水管からの排水による吸水管の前記他端部側の減圧と、
吸水材の毛細管現象によって、吸水管の一端部から吸水した水を、吸水管の他端部から導水管の前記一端部に導くことを特徴とする漏水処理装置。
【発明の詳細な説明】
【０００１】
【発明の属する技術分野】
本発明は、地下駐車場等の構造物の天井または壁に生じた亀裂から漏出する漏水処理、または漏水によって構造物内に溜まる水を排水する漏水処理方法に関する。
【０００２】
【従来の技術】
ビル、地下駐車場等であるコンクリート構築物などの構造物の天井または壁に、コンクリートの膨張収縮、振動等に起因して亀裂が生じる場合があり、その亀裂から地下水、雨水が漏出することがある。このような漏水はコンクリートの剥離および逸脱等の原因となるばかりでなく、構造物の天井または壁の美観を損なう。
【０００３】
従来の漏水処理の方法の一例としては、亀裂にモルタル、コーキング材、シーリング材等の補修材を注入および塗布し、亀裂を被覆する部分補修がある。しかしながら、亀裂の生じた箇所の状態によっては前述のような部分補修が困難な場合がある。たとえば、クーリングタワー等の冷房設備、貯水槽、複雑に設置された配管等が障害となり、部分補修作業を行うことができない場合がある。
【０００４】
また他の漏水処理方法として、図１０に示すように、漏水箇所の下方に、滴下する漏水２０１を受け止めることができる金属製の漏水受け２０３を設置し、漏水２０１を導水管２０４を経由して排水ピット等の排水設備に誘導し、漏水２０１を処理することが行われる。天井には、漏水２０１の発生を抑制するために、雨水等を集水して排水設備に導くための樋２０２が設置されている。
【０００５】
またビル、地下駐車場等の構造物の天井または壁に生じる漏水は、構造物の屋外側の天井または壁等のコンクリート面に亀裂が生じ、この亀裂から雨水等が進入することによって増大する。このような構造物の屋外側のコンクリート面に生じた亀裂を修復する方法の一例として、図１１に示すように、亀裂２００が生じた構造物の天井２１０の屋外側のコンクリート面２１０ａを防水を目的として防水性塗料などの塗膜２１１を形成し、雨水等が構造物のコンクリート内へ浸入することを防止する方法がある。この亀裂２００は、コンクリート構造物の振動および収縮に起因して生じる構造クラックと呼ばれる貫通クラックと考えられ、たとえば夏冬および昼夜の温度変化ならびにコンクリート構造物の歪みおよび振動に起因して、このクラックの巾は常に伸縮し、亀裂２００の大きさが変化する。コンクリート構造物である建物が大きく、エキスパンションが少ない場合、このクラック巾の振幅、すなわち亀裂２００の間隔の変化は大きい。塗膜２１１を用いた塗膜防水方法では、亀裂２００の間隔の変化に伴って、塗膜２１１は矢符Ｄ１，Ｄ２によって示される方向に変位し、亀裂２００付近の塗膜２１１ａにおいて疲労破断が生じ、塗膜２１１が塗膜２１１ａ付近において破断し、その破断部分から浸入した雨水がコンクリート内に滲入し、その結果構造物の天井または壁に漏水２０１が生じるという不具合が生じる。
【０００６】
さらに構造物の屋外側のコンクリート面に生じた亀裂を修復する他の方法の例として、図１２に示すように、亀裂２００が生じた構造物の天井２１０の屋外側のコンクリート面２１０ａを防水を目的として防水シート２２０ａ，２２０ｂ（総称するときは、防水シート２２０と示す）を貼着し、雨水等が構造物のコンクリート内へ浸入することを防止する方法がある。前述のようにこの亀裂２００の大きさが変化するので、防水シート２２０を用いたシート防水方法では、亀裂２００の間隔の変化に伴って、防水シート２２０は矢符Ｄ１，Ｄ２によって示される方向に変位し、亀裂２００付近の接着面２２１付近および防水シート２２０ａ，２２０ｂ間の接着面２２２付近において疲労破断が生じ、防水シート２２０の損傷または防水シート２２０のコンクリート面２１０ａからの離脱が発生し、雨水等がコンクリート面２１０ａからコンクリート内に滲入すし、その結果、漏水２０１が構造物の天井２１０または壁から漏出するという不具合が生じる。また図１２において二点鎖線で囲い斜線を付して示した前記接着面２２１，２２２において接着力の低下が発生し、防水シート２２０がコンクリート面２１０ａ上に保持されず、防水効果を長期間維持することができない。
【０００７】
さらにまた構造物の屋外側のコンクリート面に生じた亀裂を修復する他の方法の例として、図１３に示すように、構造物の天井２１０の屋外側のコンクリート面２１０ａに生じた亀裂２００を補修することを目的として、亀裂２００を加工して断面略Ｖ字状の溝２３０を形成し、モルタル、コーキング材、シーリング材等の補修材２３１を注入および塗布し、亀裂を修復することが行われている。しかしながら、前記溝２３０が小さく、充分な大きさではない場合および補修材２３１が高モジュラスの場合、前述したような亀裂２００の大きさの変化に起因して、補修材２３１と溝２３０との接着面は疲労破断を生じ、補修材２３１が溝２３０から剥離し、亀裂２００から浸入した雨水等が、コンクリート内に滲入し、構造物の天井２１０または壁から漏水２０１が漏出するという不具合が生じる。補修材２３１を用いた補修方法では、条件等によるが約６カ月〜３６カ月程度で防水効果が不充分となる場合がある。
【０００８】
【発明が解決しようとする課題】
しかしながら、前述のような漏水受けを用いる従来の漏水処理方法および構造物の屋外側のコンクリート面における防水方法である屋上防水層補修においては、電線、雨水配管、冷暖房配管、スプリンクラー等が障害となり、漏水または防水処理を行うことができない場合がある。また構造物の天井または壁に生じる亀裂は直線状に生じるものではなく不規則な形状に形成されるものであって、かつ、天井は完全に水平ではなく傾斜しているので、漏水受けを設置する従来の漏水処理方法および屋上防水層補修では対処できない。さらに壁や梁の略鉛直な表面に生じた亀裂から漏出する漏水については、前述のような漏水受けを用いて処理することはできない。
【０００９】
したがって本発明の目的は、構造物の屋外側のコンクリート面における防水処理等の屋上防水層等の部分補修が困難な漏水箇所およびコンクリートの壁および梁に生じた亀裂から漏出する漏水を確実に処理することができる漏水処理方法を提供することである。
【００１０】
【００１１】
【００１２】
【００１３】
【００１４】
【００１５】
【００１６】
【００１７】
【００１８】
【００１９】
【００２０】
【００２１】
【００２２】
【００２３】
【００２４】
【課題を解決するための手段】
本発明は、吸水材が充填される吸水管の一端部を漏水部に設け、
中空の導水管の一端部を、前記吸水管の他端部に接続し、他端部を、吸水管の一端部よりも下方の位置に配置し、
前記導水管の内径は、３〜５ｍｍの範囲に選ばれ、
前記導水管は、管内の毛細管現象によって、管内の水を他端部から排水し、
前記吸水管は、導水管からの排水による他端部側の減圧と、吸水材の毛細管現象とによって、一端部から吸収した水を、他端部の導水管に導くことを特徴とする漏水処理方法である。
また本発明は、吸水材は、０．１〜１００μｍの範囲の直径を有する繊維から成る不織布またはフェルトであることを特徴とする。
また本発明は、（ａ）一端部が漏水部に設けられる吸水管と、
（ｂ）吸水管に充填され、０．１〜１００μｍの範囲の直径を有する繊維から成る不織布またはフェルトである吸水材と、
（ｃ）導水管であって、
導水管の一端部が吸水管の他端部に接続され、
吸水管の他端部が吸水管の前記一端部よりも下方の位置に配置され、
内径３〜５ｍｍであり、
この導水管は、導水管内の毛細管現象によって、導水管内の水を導水管の前記他端部から排水する導水管とを含み、
（ｄ）前記吸水管は、
導水管からの排水による吸水管の前記他端部側の減圧と、
吸水材の毛細管現象によって、吸水管の一端部から吸水した水を、吸水管の他端部から導水管の前記一端部に導くことを特徴とする漏水処理装置である。
【００２５】
本発明に従えば、吸水管の一端部は、構造物の漏水部、たとえば風呂場のタイル下の溜まり水などに設けられ、他端部に導水管の一端部が接続され、吸水した水が導水管の一端部に導かれる。導水管は、管内の水の表面張力によって、一端部の水を他端部に導き、他端部から排水される。導水管の他端部から水が排水されると、導水管の一端部、つまり吸水管の他端部側の圧力が低下する。吸水管は、吸水材の毛細管現象によって一端部から漏水を吸収するが、他端部側が減圧されることで、サイホンの原理が働き、吸収力が増加する。このようにして、吸水管から順次吸水し、導水管から排水することができる。
【００２６】
【００２７】
また、導水管の内径が３〜５ｍｍであるので、管内の水に確実に表面張力が発生し、管内の水を迅速に他端部側に導くことができる。
【００２８】
【発明の実施の形態】
図１は本発明の前提となる構成である漏水処理方法を適用して漏水処理が施されたコンクリート構造物の天井１０の一部を示す断面図であり、図２は本発明の前提となる構成である漏水処理方法を適用して漏水処理が施された状態を示す図であり、図３は本発明の前提となる構成である漏水処理方法を適用して漏水処理が施された構造物の内部を示す図である。
【００２９】
たとえばビル、地下駐車場等であるコンクリート構築物などの構造物の屋外側のコンクリート面には、コンクリート内への雨水等の滲入を防止することを目的として、防水層が形成されている。この防水層が損傷した場合には、充分な防水効果を発揮することができなくなり、コンクリート内に雨水等が滲入する。コンクリート内に滲入した雨水等は、天井１０または壁３０等のコンクリートの膨張収縮、振動等に起因して天井１０または壁３０に生じた亀裂１２から漏水１４として漏出する。雨水等には、地下水が含まれる。漏水１４が天井１０または壁３０から滴下し、床や人間を濡らすという不具合が生じ、亀裂１２の生じた天井等は見栄えが悪く、美観を損ない、構造物の経済的価値を低下させる。
【００３０】
本発明の前提となる構成の漏水処理方法の概要は次のとおりである。まず、天井１０に生じた亀裂１２を覆うように吸水層１６を形成する。吸水層１６は接着性を有する粘着剤層である吸水層用粘着剤層１８を介して天井１０に取り付けられる。つぎに、吸水層１６を撥水性を有する気密性のシート２０によって被覆する。シート２０は接着性を有する粘着剤層であるシート用粘着剤層２２を介して天井１０に取り付けられる。吸水層１６は天井１０とシート２０とによって形成される領域２４であって、天井１０とシート２０とに挟まれる位置に配置される。続いて、吸水層１６およびシート２０を、エポキシ樹脂等の合成樹脂によって固着されるガラス繊維を主成分とする被覆層２６によって被覆する。被覆層２６はエポキシ樹脂等の合成樹脂の接着性を利用して、天井１０およびシート２０に固着される。このように吸水層１６、吸水層用粘着剤層１８、シート２０、シート用粘着剤層２２および被覆層２６からなる構成を、以下の説明においては便宜上、漏水処理部材２８と表現する場合がある。
【００３１】
吸水層１６、吸水層用粘着剤層１８、シート２０、シート用粘着剤層２２および被覆層２６によって前述のように構成された漏水処理部材２８に、漏水処理部材２８と同一構成の漏水処理部材２９を接触させて形成する。漏水処理部材２９を構成する吸水層１７と漏水処理部材２８を構成する吸水層１６とを少なくとも一部が互いに接触するように、漏水処理部材２９を漏水処理部材２８に連接し、亀裂１２付近からコンクリート構造物の壁３０付近まで天井１０の表面に沿って、漏水処理部材２９を取り付け、さらに壁３０の表面に沿って漏水処理部材２８を取り付ける。すなわち亀裂１２を被覆する漏水処理部材２８から漏水処理部材２９を、天井１０および壁３０の表面に沿って延設し、漏水処理部材２９の一方端部３２を排水設備である排水ピット３４に垂下する。梁３１が漏水処理部材２９の延設する経路に存在する場合には、梁３１の表面に沿って、漏水処理部材２９を配設する。また壁３０および梁３１に他の亀裂１３が存在する場合には、亀裂１２に対する漏水処理と同様に、漏水処理部材２９を亀裂１３を被覆するように亀裂１３上に形成する。漏水処理部材２９の構成は、漏水処理部材２８の構成と略同一である。
【００３２】
亀裂１２から漏出した漏水１４は、亀裂１２付近の吸水層１６に吸収される。吸水層１６に吸収された漏水１４は、吸水層１６内部を移動して、天井１０および壁３０の表面に沿うように配設された漏水処理部材２９の吸水層１７に移動し、さらに漏水処理部材２９の吸水層１７内部を移動して、排水ピット３４に導かれる。漏水１４は、排水ピット３４に垂下された漏水処理部材２９の一方端部３２から滴下され、漏水１４の排水処理が行われる。
【００３３】
吸水層１６は、微細径の繊維を原料として得られる不織布またはフェルトを、細長い偏平な板状に形成して得られ、弾力性を有する。吸水層１６に好適な微細径の繊維としては、たとえば０．１〜１００μｍの範囲から選ばれる直径を有するポリエステル繊維、ナイロン繊維等のポリアミド繊維、アクリル繊維などの合成繊維である。吸水層１６は、このような微細径の繊維を原料として得られる不織布またはフェルトからなるので、毛細管現象によって、漏水１４を吸収することができる。吸水層１６に吸収された漏水１４は、毛細管現象によって、吸水層１６内部を移動するので、亀裂１２付近の吸水層１６は連続して漏水１４を吸収することができる。吸水層１７は吸水層１６と同一のものである。吸水層１６の幅方向の長さは３〜１０ｃｍの範囲に選ばれ、吸水層１６の自然状態における厚さは３〜１５ｍｍの範囲に選ばれる。ここで吸水層１６の自然状態とは、吸水層１６に重力以外の荷重が作用していない状態を意味し、吸水層１６の自然状態における厚さとは、たとえば吸水層１６を水平面に静置した状態の吸水層１６の厚さ方向の厚さである。吸水層１６の自然状態における吸水層１６の空隙率は、３０〜９５％の範囲に選ばれ、好ましくは９０〜９５％の範囲に選ばれる。ここで吸水層１６の自然状態とは前述した自然状態と同様に、吸水層１６に重力以外の荷重が作用していない状態を意味し、吸水層１６の自然状態における吸水層１６の空隙率とは、たとえば吸水層１６を水平面に静置した状態における吸水層１６内部の空隙の占める容積比率である。すなわち吸水層１６内部に存在する空隙の吸水層１６の容積に対する割合であって、たとえば１０ｃｍ３の吸水層１６の空隙率が５０％の場合、１０ｃｍ３の吸水層１６の内部に存在する空隙は５ｃｍ３となる。この空隙は、吸水層１６内部において、略均一に分散して形成されていることが好ましく、この空隙が漏水１４の移動経路となる。
【００３４】
吸水層１６は、たとえば天井１０に貼着する際等の使用時においては、所望の長さおよび形状に切断され、漏水処理部材２８を構成するように、吸水層用粘着剤層１８を介して、天井１０等に貼着される。吸水層１６が漏水処理部材２８を構成する目的で天井１０に貼着され、吸水層１６がシート２０および被覆層２６によって被覆された状態において、吸水層１６内部の空隙が充分に確保されるように漏水処理部材２８が形成される。漏水処理部材２８が天井１０等に設置された状態であって、吸水層１６に漏水１４が吸収されていない状態における吸水層１６の空隙率は、３０〜８０％の範囲に選ばれ、好ましくは５０〜７０％の範囲に選ばれる。漏水処理部材２８が天井１０等に設置された状態であって、吸水層１６に漏水１４が吸収されていない状態における吸水層１６の空隙率が３０％未満の場合、漏水１４の移動経路として充分な空間が得られず、漏水１４の吸水層１６内部における移動が効率よく行われず、漏水処理部材２８の漏水処理能力が低くなる。漏水処理部材２８が天井１０等に設置された状態であって、吸水層１６に漏水１４が吸収されていない状態における吸水層１６の空隙率が８０％を越える場合、吸水層１６が漏水１４を充分に保持することができず、また毛細管現象が起こらず、漏水１４が吸水層１６内部を移動させることができない。したがって、漏水処理部材２８の漏水処理能力が低くなる。さらにこの場合、吸水層１４に保持されない漏水１４は、吸水層１６を通り抜けるなどして、シート用粘着剤層２２およびシート２０に到達し、吸水層１６とシート２０との剥離を促進することとなり、漏水処理部材２８の耐用期間を短縮する要因になる。
【００３５】
吸水層用粘着剤層１８は、接着性を有し、天井１０等に吸水層１６を貼着することができる。
【００３６】
シート２０は気密性を有する細長い薄いテープ状であって、たとえばアルミ箔、アルミ蒸着紙、ポリプロピレン製シート、ポリエチレン製シートなどによって実現される。
【００３７】
シート用粘着剤層２２は、接着性を有し、天井１０等および吸水層１６にシート２０を貼着することができる。
【００３８】
被覆層２６は、ガラス繊維を織って得られるガラスクロスまたはガラス繊維を布状にして得られるガラス不織布等のガラス繊維製シートを積層し、エポキシ樹脂等の合成樹脂によってガラス繊維製シートを相互に貼着して得られる。被覆層２６はシート２０を覆うように天井１０およびシート２０に貼着される。
【００３９】
【００４０】
【００４１】
【００４２】
【００４３】
【００４４】
【００４５】
【００４６】
【００４７】
【００４８】
【００４９】
【００５０】
【００５１】
【００５２】
【００５３】
【００５４】
【００５５】
【００５６】
【００５７】
ここで図４および図５を参照して、本発明の漏水処理方法におけるサイホンの原理および毛細管現象の概念を説明する。
【００５８】
本発明の漏水処理方法においては、サイホンの原理と毛細管現象とを組み合わせることによって、前述のようなコンクリートの部分補修が困難な漏水箇所およびコンクリートの壁および梁に生じた亀裂から漏出する漏水を確実に処理することができる。
【００５９】
図４（ａ）は水１００を満たした容器１０２の中に管状の導水管１０４を入れ、容器１０２の水１００を吸い出す構成を示す斜視図であり、図４（ｂ）は容器１０２の中に吸水層１０６を挿入し、容器１０２の水１００を吸い出す構成を示す斜視図であり、図４（ｃ）は吸水層１０６を容器１０２の中に挿入し容器１０２の水１００を吸い出し、集水器１０８を介して導水管１０４に水１００を導く構成を示す斜視図である。
【００６０】
図４（ａ）において、容器１０２の水１００に導水管１０４の一方端部１０４ａが挿入され、かつ導水管１０４内部に水１００が満たされた状態では、導水管１０４の他方端部１０４ｂが水１００の表面よりも下方に位置している場合には導水管１０４の中間部１０４ｃが水１００の表面よりも上方に位置していても、水１００は吸い出され、導水管１０４内部を移動して、導水管１０４の他方端部１０４ｂから水１００ａとして導出される。これは導水管１０４内部において水１００が移動することによって部分的に減圧状態となり、水１００を吸い上げるサイホンの原理によるものである。この場合、一旦容器１０２の中の水１００が無くなれば、再び容器１０２に水１００が満たされても、導水管１０４内部に空気が存在するため、前述のような部分的な減圧状態が保持されていないので、導水管１０４内部を水１００が移動することはなく、サイホンの原理は働かず、水１００を吸い上げることができず、導水管１０４の他方端部１０４ｂから水１００は流出しない。
【００６１】
図４（ｂ）においては、容器１０２の中の水１００に吸水層１０６を挿入し、吸水層１０６の毛細管現象によって、水１００を吸水層１０６内部を移動させることができる。この場合、容器１０２内の水１００が一旦無くなっても、再び水１００が満たされ、吸水層１０６の一方端部１０６ａに水１００が接触すれば、毛細管現象で水１００は吸水層１０６内部を移動し、吸水層１０６の他方端部１０６ｂから水１００ａとして導出される。なお吸水層１０６は、前述の吸水層１６と同一である。
【００６２】
図４（ｃ）においては、容器１０２内の水１００に吸水層１０６の一方端部１０６ａが挿入され、吸水層１０６の他方端部１０６ｂは集水器１０８に挿入されている。したがって、図４（ｂ）の場合と同様に、吸水層１０６の毛細管現象によって、水１００を吸水層１０６内部を移動させ、吸水層１０６の他方端部１０６ｂから水１００を集水器１０８内に滴下させることができる。集水器１０８の下部には前述の集水器４２と同様に導水管１０４の一方端部１０４ａが連結されており、容器１０２内の水１００は吸水層１０６内部を移動し、集水器１０８を介して導水管１０４に導かれ、導水管１０４内部を移動して導水管１０４の他方端部１０４ｂから水１００ａとして流出する。水１００は、導水管１０４の中で、サイホンの原理が働き、吸水層１０６に陰圧が働き、吸水層１０６を部分的に減圧状態とし、毛細管現象による水１００の移動に加え、サイホンの原理によって、毛細管現象によって水１００が移動する図４（ｂ）の場合に比べ、数倍の流量の水１００を導出させることができる。
【００６３】
図５は、図４（ｃ）の構成を適用した漏水処理方法を説明するための概念図である。
【００６４】
天井１０に生じた亀裂１２から漏出する漏水１４を処理するために、亀裂１２に吸水層１６を貼り付け、吸水層１６の集水器４２側の端部は集水器４２内に挿入されている。吸水層１６はシート２０によって天井１０に固着される。集水器４２の下部５２には導水管４４が取り付けられる。
【００６５】
吸水層１６は亀裂１２から漏出する漏水１４を吸収し、吸水層１６に吸収された漏水１４は、吸水層１６の毛細管現象によって吸水層１６内部を移動し集水器４２内部に導かれる。集水器４２内に移動した漏水１４は導水管４４に導かれ、導水管４４内部を移動し、排水ピット３４等の排水設備に導かれ。漏水１４の漏水処理が達成される。
【００６６】
集水器４２および吸水層１６は密閉されているので、前述のように漏水１４の移動によって、吸水層１６内部は部分的にかつ連続的に減圧状態となり、さらに亀裂１２内部においても減圧状態となり、漏水１４を吸い出すことができる。したがって、亀裂１２から漏出する漏水１４を確実にかつ大量に排水ピット３４等の排水設備に導くことができる。
【００６７】
次に、図６は、本発明の実施の一形態の吸水処理方法の原理を説明する図である。図６（１）に示すように、水を入れたバケツ１００に吸水性の良い布または紐１０１の一端部を入れ、他端部をバケツの外に垂らすと、バケツ１００の中の水は毛細管現象でバケツ１００の外に水滴となって排出される。
【００６８】
次に、図６（２）に示すように、前記紐１０１をホース１０２の中に入れ、さらに他端部に内径４ｍｍのホース１０３を接続すると、バケツ１００内の水は、図６（１）に比べて急速に外部に排出される。
【００６９】
次に、図６（３）に示すように、図６（２）のホース１０２から紐を抜いた構造とした場合には、バケツ１００内の水は排出されない。
【００７０】
このように、ホース１０２の内部に紐１０１を入れ、さらに内径４ｍｍのホース１０３を接続した場合に、急速に排水される理由は、内径４ｍｍのホース１０３の内部の水の表面張力により、毛細管現象が生じるからである。紐１０１を入れたホース１０２は、紐１０１で吸水して内径４ｍｍのホース１０３に導かれる。このホース１０３では、上述したように毛細管現象が生じるので、一端部１０３ａに導かれた水は、毛細管現象によって直ぐに他端部１０３ｂに行き渡り、この他端部１０３ｂから重力によって水滴となって落下する。
【００７１】
このように内径４ｍｍのホース１０３で急速に排水されると、内径４ｍｍのホース１０３に接続される紐を入れたホース１０２の他端部１０２ｂの圧力が下がる。こうして紐を入れたホース１０２の他端部１０２側の圧力が下がると、サイホンの原理でホース１０２はバケツ１００内の水を汲み上げる。このようにして、紐を入れたホース１０２は、紐１０１の毛細管現象と、内径４ｍｍのホース１０３によって引き起こされるサイホンの原理とによって、バケツ１００の水を汲み上げるので、もっとも効率よく排水することができる。なお、サイホンの原理が作用するためには、少なくとも内径４ｍｍのホース１０３の他端部１０３ｂが、紐を入れたホース１０２の一端部１０２ａよりも低い位置に配置され、好ましくは、紐を入れたホース１０２の他端部１０２ｂが、一端部１０２ａよりも低い位置に配置されるようにする。
【００７２】
図７は、図６（２）の方法を用いた本発明の実施の一形態の漏水処理装置１１０を示す図である。漏水処理装置１１０は、吸水材１１２が充填された吸水管１１１と、吸水管１１１に接続される導水管１１３とからなる。吸水管１１１および導水管１１３は、可撓性を有する管であり、ゴムまたは合成樹脂製のホースから成り、ここでは塩化ビニルのホースとする。この導水管１１３の主な機能は、吸水材１１２を密閉し、外気を遮断することである。これによってサイホン効果が発生する。吸水材１１２は、毛細管現象によって水を吸い上げるものであればよく、たとえば紐と前述の吸水層１６、または紐に吸水層１６および吸水性の良い布を併用する。
【００７３】
この場合使用される紐は、たとえばナイロン、ポリエステル、またはアクリルなどの極細の合成繊維を緩やかに編んで作れた紐である。このような紐の場合、全ての繊維が水の進行方向にほぼ揃っているので、通水性は優れているが、吸水性が給水層１６や布に劣るので、毛細管現象で水を吸い上げる力が乏しいので、吸水管１１１内部で吸水性の優れた前記吸水層１６や布と、紐とを併用することが肝要である。また、導水管１１３は、管内に毛細管現象を確実に発生させるために、内径は３〜５ｍｍの範囲に選ばれ、好ましくは４ｍｍに選ばれる。
【００７４】
このように構成し、毛細管現象とサイホンの原理を利用することで、図７に示すように、水面から１５０ｍｍ程度の障害を乗り越えることが可能となる。
【００７５】
図８は、上述した漏水処理装置１１０を風呂の洗い場の排水ドレーン１２５に適用した場合を示す図である。風呂の洗い場は、図８（ａ）に示すようにコンクリート床１２２が防水層１２１によって覆われ、この上を砂セメント１２４で覆われ、その上が化粧タイル１２１で覆われる。配水管１２３は、化粧タイル１２０上に開口しており、化粧タイル１２０上の水を排水する。
【００７６】
このように風呂場内の水は配水管１２３から排水されるが、化粧タイル１２１の下に回り込んだ漏水は、砂セメント１２４に吸い込まれ、防水層１２１上に溜まる。このように化粧タイル１２１の下に溜まった水は、排水されないので、この水が腐敗して、悪臭の原因となる。このような構造は、風呂の洗い場だけでなく、洗面所や台所のタイル床、浴槽の裏側などが同じ構造である。
【００７７】
このような悪臭は、清掃しただけでは取り除くことができず、悪臭を防ぐためには化粧タイル１２０の下に水が溜まらないような構造にする必要がある。化粧タイル１２０の下に水が溜まらない構造とするためには、排水ドレーン１２５を二重排水構造とする方法があるが、この場合にはコストが格段に高くなってしまう。
【００７８】
そこで、図７で説明した漏水処理装置１１０を化粧タイル１２０の下に設置することで、低コストで排水処理を行うことができる。つまり、図８（ｂ）に示すように、吸水管１１１の一端部を漏水部に漬け、導水管１１３の他端部を配水管１２３に接続する。このときコンクリート床１２２に孔をあけて吸水管１１１を通すことになるが、防水層１２１に孔をあけることは避けたい。そこで、図８（ｂ）に示すように、吸水管１１１を入口１２６を介して風呂場の外の防水層１２１のないところまで出し、そこからコンクリート床１２２を介して配水管１２３に接続する。
【００７９】
このように吸水管１１１を入口を介して外に出すと、その分だけ吸水管１１１を持ち上げる必要があるが、前述したように、漏水処理装置１１０では、１５０ｍｍ程度の障害は水を汲み上げて排水することができるので、確実に排水することが可能である。
【００８０】
このような漏水処理装置１１０は、上述したように風呂の洗い場やトイレ、台所のタイル床、浴槽の裏側などへの適用に限らず、図９に示すように、雨水などの排水溝１３０に溜まる水を排水する場合にも適用することができる。排水溝１３０は、通常勾配がついているが、逆勾配となって人目に付かない溝の奥の方に水溜まりができる場合がある。これによって蚊やボーフラの発生源となる場合がある。このような排水溝に漏水処理装置１１０を適用することで、確実に排水し、悪臭の原因を抑えることが可能となる。
【００８１】
【００８２】
【００８３】
【００８４】
【００８５】
【００８６】
【００８７】
【００８８】
【００８９】
【００９０】
【００９１】
【００９２】
【００９３】
【００９４】
【００９５】
【００９６】
【００９７】
【００９８】
【００９９】
【０１００】
【０１０１】
【０１０２】
【０１０３】
【０１０４】
【０１０５】
【０１０６】
【０１０７】
【０１０８】
【０１０９】
【０１１０】
【発明の効果】
本発明によれば、吸水材を充填した吸水管に、導水管を接続することで、サイホンの原理と毛細管現象が働き、効果的に排水することができる。
【０１１１】
また、導水管の内径が３〜５ｍｍであるので、管内の水で発生する表面張力によって確実に毛細管現象が発生する。
【図面の簡単な説明】
【図１】本発明の前提となる構成である漏水処理方法を適用して漏水処理が施されたコンクリート構造物の天井１０の一部を示す断面図である。
【図２】本発明の前提となる構成である漏水処理方法を適用して漏水処理が施された状態を示す図である。
【図３】本発明の前提となる構成である漏水処理方法を適用して漏水処理が施された構造物の内部を示す図である。
【図４】本発明の漏水処理方法におけるサイホンの原理および毛細管現象の概念を説明するための図であり、図４（ａ）は水１００を満たした容器１０２の中に管状の導水管１０４を入れ、容器１０２の水１００を吸い出す構成を示す斜視図であり、図４（ｂ）は容器１０２の中に吸水層１０６を挿入し、容器１０２の水１００を吸い出す構成を示す斜視図であり、図４（ｃ）は吸水層１０６を容器１０２の中に挿入し容器１０２の水１００を吸い出し、集水器１０８を介して導水管１０４に水１００を導く構成を示す斜視図である。
【図５】図４（ｃ）の構成を適用した漏水処理方法を説明するための概念図である。
【図６】本発明の実施の一形態の吸水処理方法の原理を説明する図である。
【図７】吸水処理装置１１０の構造を示す図である。
【図８】吸水処理装置１１０の適用方法を示す図である。
【図９】吸水処理装置１１０を適用する排水溝１３０を示す図である。
【図１０】従来の漏水処理方法の一例を示す図である。
【図１１】従来の漏水処理方法の他の一例を示す図である。
【図１２】従来の漏水処理方法の他の一例を示す図である。
【図１３】従来の漏水処理方法の他の一例を示す図である。
【符号の説明】
１０  天井
１２  亀裂
１４  漏水
１６  吸水層
１８  吸水層用粘着剤層
２０  シート
２２  シート用粘着剤層
２６  被覆層
２８  漏水処理部材
３０  壁
４２  集水器
１１０  漏水処理装置
１１１  吸水管
１１２  吸水材
１１３  導水管
【図１】
0003560921.tif 000002
【図２】
0003560921.tif 000003
【図３】
0003560921.tif 000004
【図４】
0003560921.tif 000005
【図５】
0003560921.tif 000006
【図６】
0003560921.tif 000007
【図７】
0003560921.tif 000008
【図８】
0003560921.tif 000009
【図９】
0003560921.tif 000010
【図１０】
0003560921.tif 000011
【図１１】
0003560921.tif 000012
【図１２】
0003560921.tif 000013
【図１３】
0003560921.tif 000014